(57)【要約】  褥瘡ポケットの大きさを、創部を損傷することなく簡単に計測できる褥瘡ポケット計測器１を提供する。この褥瘡ポケット計測器１は、褥瘡ポケット内に挿入される先端の発光部１１と、発光部１１に電気を供給する電線１２とを有する挿入部１０と、挿入部１０と接続され、電線１２に電気を供給する乾電池２１を備えてなる。発光部１１および電線１２は、褥瘡を損傷しない柔軟なチューブ１３により被覆されている。挿入部１０の先端から１５ｃｍ程度離れたところには、チューブ１３の外側から挟持力を付与する留め具１５が設けられ、電線１２とチューブ１３とが互いにずれないようにされている。【特許請求の範囲】
【請求項１】
褥瘡ポケット内に挿入される先端の発光部と、前記発光部に電気または光を供給する導線とを有する挿入部と、
前記挿入部と接続され、前記導線に電気または光を供給する供給部とを備えてなることを特徴とする褥瘡ポケット計測器。
【請求項２】
前記発光部および導線は、褥瘡を損傷しない柔軟なチューブにより被覆されたことを特徴とする請求の範囲第１項に記載の褥瘡ポケット計測器。
【請求項３】
前記チューブには、目盛が表示されていることを特徴とする請求の範囲第２項に記載の褥瘡ポケット計測器。
【請求項４】
前記チューブの外側から挟持力を付与する留め具を設け、前記導線と前記チューブとが互いにずれないようにしたことを特徴とする請求の範囲第２項に記載の褥瘡ポケット計測器。
【請求項５】
前記導線は、電線であることを特徴とする請求の範囲第１項に記載の褥瘡ポケット計測器。
【請求項６】
前記挿入部の先端に使い捨てのカバーを設けたことを特徴とする請求の範囲第１項に記載の褥瘡ポケット計測器。
【請求項７】
前記発光部は、赤色に発光することを特徴とする請求の範囲第１項に記載の褥瘡ポケット計測器。
【発明の詳細な説明】
【技術分野】
【０００１】
本発明は、褥瘡ポケットの大きさを計測する褥瘡ポケット計測器に関する。
【背景技術】
【０００２】
褥瘡とは、圧迫性壊死の一種であり、重症患者が長期間臥床している場合に、皮膚循環の障害により、体重が掛かる部分にできる潰瘍である。重傷度が高い褥瘡は、皮膚の表面に開口したポケット形状をなすことがあり、このポケット形状部分を褥瘡ポケットという。
褥瘡ポケットを有する患者の治療においては、週１回など、定期的に褥瘡ポケットの大きさを計測することが必要である。従来においては、長鑷子を褥瘡ポケットの開口から挿入して褥瘡ポケットの輪郭、つまりポケットの最深部を探り、輪郭をマークして褥瘡ポケットの大きさを計測していた。【０００３】
しかし、長鑷子を用いると、奥行きが分かりにくい場合などに目測を誤って創部を損傷させたりして、創部の治癒を遅延させる危険性があった。また、長鑷子は柔軟性がないため、患者の体位によっては測定不能なケースもあり、正しい計測ができないばかりか創部を汚染させてしまうこともあった。【０００４】
このような問題から、柔軟な素材を使用して褥瘡ポケットの損傷を防止しようとした計測器の発明もある（例えば、特許文献１）。しかしながら、かかる発明においても、褥瘡ポケットの輪郭の把握は勘に頼らざるを得ない部分があり、熟練を要するという問題があった。【０００５】
【特許文献１】特開２００３−３３４１７９号公報
【特許文献２】特開２００４−７３７６９号公報
【発明の開示】
【０００６】
以上のような背景に鑑みて本発明がなされたものであり、本発明の課題は、褥瘡ポケットの大きさを、創部を損傷することなく簡単に計測できる褥瘡ポケット計測器を提供することを課題とする。
【０００７】
前記した課題を解決するため、本発明の褥瘡ポケット計測器は、褥瘡ポケット内に挿入される先端の発光部と、前記発光部に電気または光を供給する導線とを有する挿入部と、前記挿入部と接続され、前記導線に電気または光を供給する供給部とを備えてなる。
この導線は、例えば電線や光ファイバである。
このような褥瘡ポケット計測器によれば、導線を介して発光部を発光させつつ、挿入部を褥瘡ポケットに挿入することで、褥瘡ポケットの輪郭を可視化することができ、簡単に褥瘡ポケットの大きさを計測することができる。すなわち、褥瘡ポケットの輪郭が目で見て分かるため、無理して褥瘡ポケットの最深部まで計測器を挿入しなくても輪郭をマークすることができ、褥瘡ポケットを損傷するおそれがないばかりか、輪郭のマークが正確となる。そして、褥瘡ポケットの輪郭を目で見て、挿入部の先端の周辺までマークできることで作業も迅速に行うことができる。
【０００８】
前記計測器においては、前記導線は、褥瘡を損傷しない柔軟なチューブにより被覆されているのが望ましい。このような柔軟なチューブを採用することにより挿入部は柔軟となるので、創部を損傷しにくく、褥瘡ポケットの最深部に計測器を当てた場合にも創部を損傷しにくい。また、挿入部が柔軟であれば、患者の体位によらず計測が行いやすくなる。
【０００９】
前記計測器においては、前記チューブに目盛が表示されているのが望ましい。このようにすれば、褥瘡ポケットの大きさを計測しやすくなる。
【００１０】
前記計測器においては、前記チューブの外側から挟持力を付与する留め具を設け、前記導線と前記チューブとが互いにずれないようにしておくのが望ましい。このようにすれば、導線や発光部のチューブに対する移動が防止できるとともに、チューブと導線の全体で一定の形状を保ちやすくなり、褥瘡ポケットに挿入部を挿入する作業が行いやすくなる。
【００１１】
前記計測器においては、前記導線は、電線であるのが望ましい。電線を採用すると、柔軟な細い線であっても発光部を十分に明るく発光させることができるとともに、挿入部を折りたたんでも機能の損傷のおそれがないため、取扱いや持ち運びに便利である。
【００１２】
前記計測器においては、前記挿入部の先端に使い捨てのカバーを設けるのが望ましい。このようにすることで、患者間での細菌による感染を防止することができる。
【００１３】
前記計測器においては、前記発光部が赤色に発光するのが望ましい。人体の皮膚は赤色を通過させやすいので、発光部が赤色で発光していると、褥瘡ポケットに挿入前と挿入後で明るさの変化が少なく、計測が行いやすい。
【００１４】
以上のように本発明の褥瘡ポケット計測器によれば、創部を損傷することなく簡単に褥瘡ポケットの大きさを計測することができる。
【図面の簡単な説明】
【００１５】
【図１】実施形態にかかる褥瘡ポケット計測器の斜視図である。
【図２】（ａ）は、挿入部の先端の拡大図であり、（ｂ）は、同部分の断面図である。
【図３】図１のIII−III断面図である。
【図４】褥瘡ポケット計測器の使用方法を示す図である。
【符号の説明】
【００１６】
１      褥瘡ポケット計測器
１０    挿入部
１１    発光部
１２    電線
１３    チューブ
１５    留め具
１７    目盛
２０    保持部
２１    乾電池
２２    スイッチ
３０    カバー
４０    患者
４１    褥瘡ポケット
４２    開口部
４３    輪郭
４５    マーク
【発明を実施するための最良の形態】
【００１７】
次に本発明の実施形態について図面を参照しながら説明する。
図１に示すように、褥瘡ポケット計測器１は、細長いコード状に形成された挿入部１０と挿入部１０の基端に接続された、供給部を含む保持部２０とを備えて構成されている。【００１８】
挿入部１０は、先端に発光部１１を有する。発光部１１は、赤色のＬＥＤ(Light Emitting Diode)からなる。赤色を採用することにより、皮膚の下に挿入する前と後で明るさの変化が少なく、褥瘡ポケット４１の輪郭４３（図４（ｃ）参照）の確認が行いやすくなる。発光部１１には、挿入部１０内に配置された導線としての電線１２を介して電力が供給される。電線１２は、チューブ１３により被覆されている。電線１２には、保持部２０内に配置された供給部としての乾電池２１から電力が供給される。この電力は、プッシュ型のスイッチ２２により、供給のオン・オフが切り替えられる。計測を両手で行うことができるように、スイッチ２２は、オンの状態を保持できるものを用いるのが望ましい。【００１９】
図２（ａ）に示すように、挿入部１０の先端部分（以下、「先端挿入部Ａ」とする。図１参照。）には、チューブ１３に、先端からの距離を示す目盛１７が印刷により表示されている。この目盛１７は、褥瘡ポケット４１の深さを計測するのに用いられる。
図２（ｂ）に示すように、挿入部１０は、チューブ１３内に電線１２が配置されている。電線１２は、インナチューブ１２ａに被覆された上で外装のチューブ１３に挿入されている。チューブ１３は、柔軟な素材、例えばポリ塩化ビニルからなる。本実施形態では、発光部１１の光が外部へ抜けるようにするため、チューブ１３は透明である。チューブ１３の外側からは、内部が見えるため、インナチューブ１２ａの色彩は、目盛１７に対しコントラストの高い色が採用される。例えば黒色の目盛１７に対しては白色のインナチューブ１２ａが採用される。もっとも、発光部１１をチューブ１３で被覆しない場合には、チューブ１３を不透明な材料で構成してもよい。【００２０】
図１に示すように、先端挿入部Ａの基端側には、留め具１５が配置されている。留め具１５は、図３に示すように、金属のパイプを径方向に潰したものであり、電線１２、インナチューブ１２ａおよびチューブ１３を外側から挟持することで、これらの部材同士が互いにずれるのを防止している。これにより、電線１２や発光部１１がチューブ１３から抜けるのを防止するとともに、留め具１５より先の部分、つまり先端挿入部Ａの部分がたとえずれたとしても適度な力で元の形状に回復するように機能し、褥瘡ポケット４１に先端挿入部Ａを挿入する際の操作を行いやすくしている。【００２１】
次に、褥瘡ポケット計測器１の使用方法について説明する。
図４（ａ）に示すように、一端が閉じ、他端が開いた使い捨てのカバー３０を用意する。カバー３０は、ガス滅菌などにより消毒しておく。
図４（ｂ）に示すように、先端挿入部Ａをカバー３０内にその他端から挿入する。このカバー３０は、先端挿入部Ａを清潔に保つためのものであり、計測する度に交換することで、患者間での細菌による感染を防止することができる。【００２２】
次に、図４（ｃ）に示すように、スイッチ２２を用いて発光部１１に電力を供給し、発光部１１を発光させる。
次に、図４（ｄ）に示すように、患者４０の褥瘡ポケット４１には、開口部４２があり、この開口部４２からカバー３０ごと先端挿入部Ａを褥瘡ポケット４１に挿入する。そして、褥瘡ポケット４１の最深部付近まで発光部１１を挿入する。この時、発光部１１の光により、褥瘡ポケット４１の最深部の輪郭４３が見えるので、この輪郭４３を見ながら発光部１１（つまり先端部）の位置を調整することで、誤って創部に計測器を強く当てて創部を損傷することを防止することができる。
そして、可視化された輪郭４３に沿って、フェルトペンでマーク４５を記す。この操作を繰返し、図４（ｅ）に示すように、輪郭４３の全体についてマーク４５を記す。従来であれば、目測によって極一部のみしかマークできなかったのが、本実施形態の褥瘡ポケット計測器１を用いれば、発光部１１の周辺まで輪郭４３が見えるので、ある程度広い範囲で、しかも正確に輪郭４３をマークすることができる。
なお、簡易に褥瘡ポケット４１の大きさを測定するため、発光部１１を褥瘡ポケット４１の最深部に当てて、目盛１７を読みとってもよい。【００２３】
以上のようにして記されたマーク４５に基づき、長径ａと、これに直交する短径ｂ（長径と直交する最大径）とを測定するなどして、褥瘡ポケット４１の面積を算出し、大きさを評価する。【００２４】
このような実施形態の褥瘡ポケット計測器１によれば、次のような効果を奏する。
まず、発光部１１の光により、褥瘡ポケット４１の輪郭４３が可視化されるため、輪郭４３を正確かつ迅速にマークできる。そして、輪郭４３を見ながら測定ができるため、創部を損傷することがない。
そして、電線１２は、柔軟なチューブ１３に被覆されているので、創部が損傷しにくい。特に、実施形態においては、発光部１１もチューブ１３で被覆されているので、創部の損傷が確実に防止される。また、挿入部１０が柔軟となるので、患者の体位によらず計測が行いやすくなる。
また、目盛１７により、褥瘡ポケット４１の大きさの概略を一目で把握できる。
さらに、使い捨てのカバー３０を用いることにより、患者間での細菌による感染を防止することができる。
このように、本発明によれば、褥瘡ポケット部の大きさの見極めが正確になるので、適正な褥瘡治療の方向性の決定に寄与できる。【００２５】
以上に本発明の実施形態について説明したが、本発明は、前記実施形態に限定されず、適宜変形して実施することができる。例えば、導線としては、電線だけでなく、光ファイバを用いることができる。この場合には、発光部としてＬＥＤではなく、光を拡散させる部品を取り付けておけばよい。そして、供給部に、ＬＥＤ等の光源と、ＬＥＤに電力を供給する電源を設けておく。
もっとも、発光の明るさ、柔軟性、折り畳みの取扱い性などを考慮すると、電線を用いるのが望ましい。
【図１】
2006057138.tif 000002
【図２】
2006057138.tif 000003
【図３】
2006057138.tif 000004
【図４】
2006057138.tif 000005
【国際調査報告】
2006057138.tif 000006
2006057138.tif 000007